(57)【要約】【課題】色にじみが発生することを抑制できる新たな原稿読み取り装置を提供することである。【解決手段】光源は、光ＢＲ，ＢＧ，ＢＢを原稿Ｐに対して照射する。受光部は、原稿Ｐにおいて反射した光ＢＲ，ＢＧ，ＢＢを受光し、主走査方向に延在する複数本の列を複数の受光素子Ｐｄ（ｍ，ｎ）がなすことにより構成されている。駆動部は、光源及び受光部を原稿Ｐに対して副走査方向に速度Ｖで移動させる。制御部は、光ＢＲ，ＢＧ，ＢＢを時間Ｔ毎に切り替えて光源に照射させると共に、光ＢＲ，ＢＧ，ＢＢの切り替えに同期して、撮像に用いられる受光素子Ｐｄ（ｍ，ｎ）を列単位で選択する。撮像に用いられる受光素子Ｐｄ（ｍ，ｎ）の重心Ｇは、選択の前後に、速度Ｖと時間Ｔとの積に等しい距離だけ副走査方向の反対方向に受光部内で移動する。【選択図】図７
2011130053.tif 000002
【特許請求の範囲】
【請求項１】
原稿のカラー画像を読み取る原稿読み取り装置であって、
複数色の光を前記原稿に対して照射する複数の光源と、
前記原稿において反射した光を受光する受光部であって、主走査方向に延在する複数本の列を複数の受光素子がなすことにより構成されている受光部と、
前記光源及び前記受光部と前記原稿とを副走査方向に所定の相対速度で移動させる移動手段と、
前記複数色の光を所定の時間で切り替えて前記光源に照射させると共に、該複数色の光の切り替えに同期して、撮像に用いられる前記受光素子を列単位で選択する制御部と、
を備え、
撮像に用いられる前記受光素子の重心は、選択の前後に、前記相対速度と前記所定の時間との積に等しい距離だけ副走査方向の反対方向に前記受光部内で移動すること、
を特徴とする原稿読み取り装置。
【請求項２】
撮像に用いられる前記受光素子は、副走査方向に隣り合う複数の列をなしていること、
を特徴とする請求項１に記載の原稿読み取り装置。
【請求項３】
各色の光の照射時において撮像に用いられる前記受光素子の数は、等しいこと、
を特徴とする請求項１又は請求項２のいずれかに記載の原稿読み取り装置。
【発明の詳細な説明】
【技術分野】
【０００１】
本発明は、原稿読み取り装置、特に、原稿の画像を読み取る原稿読み取り装置に関する。
【背景技術】
【０００２】
従来の原稿読み取り装置としては、赤、緑、青の光源を順次点灯させ、モノクロイメージセンサを使用してカラー画像を得る画像読み取り装置が知られている。具体的には、赤の光源を点灯させて主走査方向の１ライン分の読み取りを行うことによりカラー画像の赤成分を得る。次に、緑の光源を点灯させて主走査方向の１ライン分の読み取りを行うことによりカラー画像の緑成分を得る。最後に、青の光源を点灯させて主走査方向の１ライン分の読み取りを行うことによりカラー画像の青成分を得る。そして、イメージセンサを副走査方向に一定速度で移動させながら、上記読み取りを繰り返すことにより、カラー画像を得ることができる。従来の画像読み取り装置では、イメージセンサを副走査方向に移動させながら読み取りを行っているので、読み取り時間を短縮することができる。
【０００３】
しかしながら、従来の画像読み取り装置では、画像の境界部分において色にじみが発生するおそれがある。より詳細には、イメージセンサは一定速度で移動している。そのため、カラー画像の赤成分が読み取られる位置と、カラー画像の緑成分が読み取られる位置と、カラー画像の青成分が読み取られる位置とは、互いに副走査方向にずれてしまう。よって、白から黒に変化する画像が読み取られる場合、例えば、赤の光源を用いて白の部分の画像が読み取られ、イメージセンサが白と黒との境界を通過した後に、緑の光源及び青の光源を用いて黒の部分の画像が読み取られることがある。この場合には、読み取られた１ライン分のカラー画像は赤色となる。一方、赤の光源及び緑色の光源を用いて白の部分の画像が読み取られ、イメージセンサが白と黒との境界を通過した後に、青の光源を用いて黒の部分の画像が読み取られることがある。この場合には、読み取られた１ライン分のカラー画像は黄色となる。以上のように、従来の画像読み取り装置では、画像の境界部分において色にじみが発生するおそれがある。
【０００４】
なお、前記色にじみの発生を抑制するために、例えば、特許文献１に記載の画像読取装置が提案されている。該画像読取装置では、画像をプリスキャンして、蓄積時間を計算し、その計算結果に応じて本スキャンの際に赤、緑、青の点灯順又はオフセットを変更し、各色の読み取り位置をできるだけ近づけている。これにより、１ライン分のデータ内で赤、緑、青各色の副走査方向の読取位置が近づくので、色にじみの発生が軽減される。
【先行技術文献】
【特許文献】
【０００５】
【特許文献１】特開２００６−３０４２００号公報
【発明の概要】
【発明が解決しようとする課題】
【０００６】
そこで、本発明の目的は、受光素子を移動させながら各色の光を照射してカラー画像の読み取りを行う原稿読み取り装置であって、色にじみが発生することを抑制できる新たな原稿読み取り装置を提供することである。
【課題を解決するための手段】
【０００７】
本発明の一形態に係る原稿読み取り装置は、原稿のカラー画像を読み取る原稿読み取り装置であって、複数色の光を前記原稿に対して照射する複数の光源と、前記原稿において反射した光を受光する受光部であって、主走査方向に延在する複数本の列を複数の受光素子がなすことにより構成されている受光部と、前記光源及び前記受光部と前記原稿とを副走査方向に所定の相対速度で移動させる移動手段と、前記複数色の光を所定の時間で切り替えて前記光源に照射させると共に、該複数色の光の切り替えに同期して、撮像に用いられる前記受光素子を列単位で選択する制御部と、を備え、撮像に用いられる前記受光素子の重心は、選択の前後に、前記相対速度と前記所定の時間との積に等しい距離だけ副走査方向の反対方向に前記受光部内で移動すること、を特徴とする。
【発明の効果】
【０００８】
本発明によれば、受光素子を移動させながら各色の光を照射してカラー画像の読み取りを行う原稿読み取り装置において、色にじみが発生することを抑制できる。
【図面の簡単な説明】
【０００９】
【図１】一実施形態に係る原稿読み取り装置の断面構造図である。
【図２】図２（ａ）は、原稿読み取り装置のキャリッジの外観斜視図である。図２（ｂ）は、原稿読み取り装置のキャリッジの分解斜視図である。
【図３】センサチップ及びセンサ基板の拡大図である。
【図４】センサチップの受光部の拡大図である。
【図５】センサチップの回路図である。
【図６】原稿読み取り装置のブロック図である。
【図７】原稿読み取り装置が原稿を読み取る際の動作を説明するための説明図である。
【図８】原稿読み取り装置が原稿を読み取る際の動作を説明するための説明図である。
【図９】原稿読み取り装置が原稿を読み取る際の動作を説明するための説明図である。
【図１０】選択回路のタイミングチャートである。
【発明を実施するための形態】
【００１０】
（原稿読み取り装置の構成）
以下に、本発明の一実施形態に係る原稿読み取り装置１０について、図面を参照しながら説明する。図１は、一実施形態に係る原稿読み取り装置１０の断面構造図である。図２（ａ）は、原稿読み取り装置１０のキャリッジ１６の外観斜視図である。図２（ｂ）は、原稿読み取り装置１０のキャリッジ１６の分解斜視図である。以下では、キャリッジ１６が移動する方向を副走査方向と称し、原稿Ｐに平行であってかつ副走査方向に直交する方向を主走査方向と称す。
【００１１】
原稿読み取り装置１０は、原稿Ｐに光を照射して、原稿Ｐから反射してきた光を受光することにより、原稿Ｐのカラー画像を読み取る装置であって、本体１２、プラテンガラス１４、キャリッジ１６、駆動部４０、制御部４２、ＡＤコンバータ４４及びメモリ４６を備えている。該原稿読み取り装置１０は、所謂、コンタクトイメージセンサ方式と呼ばれる読み取り方式が採用された装置である。
【００１２】
制御部４２は、原稿読み取り装置１０全体を制御するための回路であり、例えば、半導体集積回路により構成されている。本体１２は、原稿読み取り装置１０の筐体であり、その内部にキャリッジ１６を格納している。本体１２の上面には、開口が設けられている。プラテンガラス１４は、透明なガラス又は樹脂により作製され、本体１２の開口に嵌め込まれている。プラテンガラス１４の上面には原稿Ｐが載置される。
【００１３】
キャリッジ１６は、図１に示すように、副走査方向に一定の速度Ｖで移動させられて、原稿Ｐの画像を読み取る。駆動部４０は、キャリッジ１６を副走査方向に速度Ｖで移動させる移動手段であり、モーター、プーリー、レール、ベルト等により構成されている。
【００１４】
キャリッジ１６は、図２に示すように、本体１８、光源２０、等倍レンズ２４、センサチップ２６及びセンサ基板２８を含んでいる。本体１８は、キャリッジ１６の筐体であり、その内部に光源２０、等倍レンズ２４、センサチップ２６及びセンサ基板２８を格納している。更に、本体１８の上面には、開口が設けられている。
【００１５】
光源２０は、図１に示すように、赤の光ＢＲ、緑の光ＢＧ、青の光ＢＢを、プラテンガラス１４を介して原稿Ｐに対して照射する素子である。制御部４２は、赤の光ＢＲ、緑の光ＢＧ、青の光ＢＢを所定の時間（以下、単に時間と称す）Ｔでこの順に切り替えて光源２０に照射させる。光源２０から出射した光ＢＲ，ＢＧ，ＢＢは、原稿Ｐにおいて反射し、等倍レンズ２４に入射する。
【００１６】
等倍レンズ２４は、原稿Ｐにおいて反射した光ＢＲ，ＢＧ，ＢＢを、センサチップ２６の受光部に等倍で結像させる。センサチップ２６は、等倍レンズ２４により結像された光ＢＲ，ＢＧ，ＢＢを受光し、受光した光ＢＲ，ＢＧ，ＢＢの強度に応じた電荷を蓄積する素子である。センサ基板２８は、図２に示すように、センサチップ２６が実装される回路基板であり、センサチップ２６から電気信号を読み出して、ＡＤコンバータ４４に出力する。
【００１７】
ここで、センサチップ２６の構成について図面を参照しながらより詳細に説明する。図３は、センサチップ２６及びセンサ基板２８の拡大図である。図４は、センサチップ２６の受光部３０の拡大図である。
【００１８】
センサチップ２６は、図３に示すように、受光部３０、回路部３２及び接続部３４を有している。受光部３０、回路部３２及び接続部３４は、図面が煩雑になることを防止するために、代表的なものにのみ参照符号を付してある。
【００１９】
受光部３０は、原稿Ｐで反射した光ＢＲ，ＢＧ，ＢＢを受光し、図４に示すように、複数の受光素子Ｐｄ（ｍ，ｎ）（ｍ，ｎは整数）により構成されている。受光素子Ｐｄ（ｍ，ｎ）は、主走査方向に延在し、かつ、副走査方向に並ぶ５本の列を構成しており、例えば、フォトダイオードにより構成されている。また、受光素子Ｐｄ（ｍ，ｎ）の副走査方向における幅の大きさは、長さＡである。
【００２０】
回路部３２は、選択回路及びシフトレジスタ等を含んでいる。選択回路は、光源２０が放射する光ＢＲ，ＢＧ，ＢＢの切り替えに同期して、撮像に用いる受光素子Ｐｄ（ｍ，ｎ）を列単位で選択する。シフトレジスタは、選択回路が選択した受光素子Ｐｄ（ｍ，ｎ）が蓄積している電荷を出力信号として順番にセンサ基板２８へと出力する。接続部３４は、回路部３２とセンサ基板２８とを接続する端子及び配線である。
【００２１】
ここで、センサチップ２６の回路構成について図面を参照しながら説明する。図５は、センサチップ２６の回路図である。ただし、図５では、ｎ行目の受光素子Ｐｄ（１，ｎ）〜Ｐｄ（５，ｎ）及び該受光素子Ｐｄ（１，ｎ）〜Ｐｄ（５，ｎ）に対応する選択回路５０ｎのみが示されている。
【００２２】
受光素子Ｐｄ（１，ｎ）〜Ｐｄ（５，ｎ）は、原稿Ｐで反射した光ＢＲ，ＢＧ，ＢＢを受光し、受光した光ＢＲ，ＢＧ，ＢＢの強度に応じた電荷を蓄積する。選択回路５０ｎは、光源２０が照射する光ＢＲ，ＢＧ，ＢＢの切り替えに同期して、撮像に用いる受光素子Ｐｄ（１，ｎ）〜Ｐｄ（５，ｎ）を選択する回路である。選択回路５０ｎは、トランジスタＴｔｒ（１，ｎ）〜Ｔｔｒ（５，ｎ），Ｒｔｒ（１，ｎ）〜Ｒｔｒ（５，ｎ），Ｒｔｒｎ，Ｄｔｒｎ，Ｏｔｒｎ、ゲート線ＴＧＬｎ，ＲＧＬ（１，ｎ）〜ＲＧＬ（５，ｎ），ＲＧＬｎ，ＳＧＬｎ、ソース線ＴＳＬ（１，ｎ）〜ＴＳＬ（５，ｎ），ＲＳＬ（１，ｎ）〜ＲＳＬ（５，ｎ），ＲＳＬｎ及び出力線ＯＬｎにより構成されている。
【００２３】
受光素子Ｐｄ（１，ｎ）〜Ｐｄ（５，ｎ）はそれぞれ、トランジスタＴｔｒ（１，ｎ）〜Ｔｔｒ（５，ｎ）のドレイン、及び、トランジスタＲｔｒ（１，ｎ）〜Ｒｔｒ（５，ｎ）のドレインに接続されている。トランジスタＲｔｒ（１，ｎ）〜Ｒｔｒ（５，ｎ）のゲートはそれぞれ、ゲート線ＲＧＬ（１，ｎ）〜ＲＧＬ（５，ｎ）に接続されている。また、トランジスタＲｔｒ（１，ｎ）〜Ｒｔｒ（５，ｎ）のソースはそれぞれ、ソース線ＲＳＬ（１，ｎ）〜ＲＳＬ（５，ｎ）を介して、接地されている。
【００２４】
ゲート線ＲＧＬ（１，ｎ）〜ＲＧＬ（５，ｎ）にはそれぞれ、選択信号ＲＴｘ（１，ｎ）〜ＲＴｘ（５，ｎ）が印加されている。よって、選択信号ＲＴｘ（１，ｎ）〜ＲＴｘ（５，ｎ）の電圧がＨｉｇｈになると、トランジスタＲｔｒ（１，ｎ）〜Ｒｔｒ（５，ｎ）が開く。これにより、電圧がＨｉｇｈとなった選択信号ＲＴｘ（１，ｎ）〜ＲＴｘ（５，ｎ）に対応する受光素子Ｐｄ（１，ｎ）〜Ｐｄ（５，ｎ）が蓄積している電荷は、ソース線ＲＳＬ（１，ｎ）〜ＲＳＬ（５，ｎ）を介して、接地側へと破棄される。一方、電圧がＬｏｗのままであった選択信号ＲＴｘ（１，ｎ）〜ＲＴｘ（５，ｎ）に対応する受光素子Ｐｄ（１，ｎ）〜Ｐｄ（５，ｎ）が蓄積している電荷は、受光素子Ｐｄ（１，ｎ）〜Ｐｄ（５，ｎ）に蓄積されている。選択信号ＲＴｘ（１，ｎ）〜ＲＴｘ（５，ｎ）の電圧がＨｉｇｈとされることにより、破棄する電荷が選択されている。すなわち、選択信号ＲＴｘ（１，ｎ）〜ＲＴｘ（５，ｎ）の電圧がＬｏｗとされることにより、撮像に用いる受光素子Ｐｄ（１，ｎ）〜Ｐｄ（５，ｎ）が選択されている。
【００２５】
トランジスタＴｔｒ（１，ｎ）〜Ｔｔｒ（５，ｎ）のゲートは、ゲート線ＴＧＬｎに接続されている。また、トランジスタＴｔｒ（１，ｎ）〜Ｔｔｒ（５，ｎ）のソースはそれぞれ、ソース線ＴＳＬ（１，ｎ）〜ＴＳＬ（５，ｎ）を介して、トランジスタＲＴｒｎのドレイン及びトランジスタＤｔｒｎのゲートに接続されている。ゲート線ＴＧＬｎには、読み出し信号Ｔｘｎが印加されている。よって、読み出し信号Ｔｘｎの電圧がＨｉｇｈになると、トランジスタＴｔｒ（１，ｎ）〜Ｔｔｒ（５，ｎ）が開く。これにより、受光素子Ｐｄ（１，ｎ）〜Ｐｄ（５，ｎ）が蓄積している電荷は、ソース線ＴＳＬ（１，ｎ）〜ＴＳＬ（５，ｎ）を介して、トランジスタＲＴｒｎのドレイン及びトランジスタＤｔｒｎのゲートに出力される。
【００２６】
トランジスタＤｔｒｎのドレインには、所定のドレイン電圧が印加されている。トランジスタＤｔｒｎのソースは、トランジスタＯｔｒｎのドレインに接続されている。トランジスタＯｔｒｎのゲートは、ゲート線ＳＧＬｎに接続されている。トランジスタＯｔｒｎのソースは、出力線ＯＬｎに接続されている。よって、受光素子Ｐｄ（１，ｎ）〜Ｐｄ（５，ｎ）が蓄積している電荷が、トランジスタＤｔｒｎのゲートに出力されてくると、電荷量に応じた電圧がトランジスタＤｔｒｎのゲートに印加され、トランジスタＤｔｒｎが開く。これにより、トランジスタＤｔｒｎのドレインからソースへと、電荷量に応じたドレイン電流が流れる。トランジスタＯｔｒｎのゲートには、出力信号Ｓｘｎが印加されている。よって、出力信号Ｓｘｎの電圧がＨｉｇｈになると、トランジスタＯｔｒｎが開き、トランジスタＤｔｒｎを流れたドレイン電流が、トランジスタＯｔｒｎを通過して、出力線ＯＬｎへと出力される。これにより、出力信号Ｓｉｇｎが、該出力線ＯＬｎから図示しないシフトレジスタへと出力される。シフトレジスタは、出力信号Ｓｉｇｎを順番にセンサ基板２８へと出力する。
【００２７】
トランジスタＲｔｒｎのゲートは、ゲート線ＲＧＬｎに接続されている。トランジスタＲｔｒｎのソースは、ソース線ＲＳＬｎを介して、接地されている。ゲート線ＲＧＬｎには、リセット信号Ｒｘｎが印加されている。よって、リセット信号Ｒｘｎの電圧がＨｉｇｈになると、トランジスタＲｔｒｎが開く。これにより、トランジスタＲｔｒｎのドレイン及びトランジスタＤｔｒｎのゲートに出力された電荷は、ソース線ＲＳＬｎを介して、接地側へと破棄される。応じて、トランジスタＤｔｒｎのゲートの電圧が低下して、トランジスタＤｔｒｎが閉じる。
【００２８】
次に、センサチップ２６にて生成された出力信号の処理について図面を参照しながら説明する。図６は、原稿読み取り装置１０のブロック図である。
【００２９】
図６のブロック図では、センサチップ２６、制御部４２、ＡＤコンバータ４４及びメモリ４６が記載されている。制御部４２は、センサ制御部６０、並べ替え処理部６２及び画像処理部６４を備えている。
【００３０】
センサチップ２６は、センサ制御部６０の制御に基づいて、アナログ信号である出力信号ＳｉｇｎをＡＤコンバータ４４へと出力する。ＡＤコンバータ４４は、センサ制御部６０の制御に基づいて、アナログ信号である出力信号Ｓｉｇｎをデジタルデータに変換し、並べ替え処理部６２に出力する。並べ替え処理部６２は、デジタルデータをメモリ４６にバッファし、１ラインのデータに並べ替えた後、画像処理部６４に出力する。画像処理部６４は、並べ替え処理部６２から出力されてくるデータに対して所定の画像処理を施すことにより、カラー画像のデータを得る。
【００３１】
（原稿読み取り装置の動作）
以下に、原稿読み取り装置１０の動作について図面を参照しながら説明する。図７ないし図９は、原稿読み取り装置１０が原稿を読み取る際の動作を説明するための説明図である。図７ないし図９では、白領域１０４、黒領域１０２及び白領域１００が副走査方向にこの順に並んだ画像が印刷された原稿Ｐが読み取られる。なお、図７ないし図９では、説明を簡潔にするために、受光素子Ｐｄ（１，ｎ）〜受光素子Ｐｄ（５，ｎ）のみを示した。
【００３２】
図７（ａ）に示すステップでは、光源２０は、光ＢＲを原稿Ｐに対して照射する。そして、白領域１０４にて反射した光ＢＲは、受光素子Ｐｄ（１，ｎ）〜Ｐｄ（５，ｎ）に入射する。この際、撮像に用いる受光素子として、副走査方向に隣り合う３つの列に属する受光素子Ｐｄ（１，ｎ）〜Ｐｄ（３，ｎ）が選択されている。よって、図７（ａ）に示すステップでは、白領域１０４の上限から幅Ｌの領域の赤成分が撮像される。
【００３３】
図７（ａ）に示すステップより時間Ｔが経過した図７（ｂ）に示すステップでは、受光素子Ｐｄ（１，ｎ）〜Ｐｄ（５，ｎ）は、副走査方向に速度Ｖと時間Ｔとの積に等しい距離だけ移動する。速度Ｖと時間Ｔとの積の大きさは、受光素子Ｐｄ（１，ｎ）〜Ｐｄ（５，ｎ）の幅Ａと同じである。そして、光源２０は、光ＢＧを原稿Ｐに対して照射する。そして、白領域１０４及び黒領域１０２にて反射した光ＢＧは、受光素子Ｐｄ（１，ｎ）〜Ｐｄ（５，ｎ）に入射する。この際、撮像に用いる受光素子として、副走査方向に隣り合う３つの列に属する受光素子Ｐｄ（２，ｎ）〜Ｐｄ（４，ｎ）が選択されている。これにより、撮像に用いられる受光素子の重心Ｇは、選択の前後において、速度Ｖと時間Ｔとの積に等しい距離だけ副走査方向の反対方向に受光部３０内において移動している。よって、図７（ｂ）に示すステップでは、図７（ａ）に示すステップと同様に、白領域１０４の上限から幅Ｌの領域の緑成分が撮像される。
【００３４】
図７（ｂ）に示すステップより時間Ｔが経過した図７（ｃ）に示すステップでは、受光素子Ｐｄ（１，ｎ）〜Ｐｄ（５，ｎ）は、副走査方向に速度Ｖと時間Ｔとの積に等しい距離だけ移動する。そして、光源２０は、光ＢＢを原稿Ｐに対して照射する。そして、白領域１０４及び黒領域１０２にて反射した光ＢＢは、受光素子Ｐｄ（１，ｎ）〜Ｐｄ（５，ｎ）に入射する。この際、撮像に用いる受光素子として、副走査方向に隣り合う３つの列に属する受光素子Ｐｄ（３，ｎ）〜Ｐｄ（５，ｎ）が選択されている。これにより、撮像に用いられる受光素子の重心Ｇは、選択の前後において、速度Ｖと時間Ｔとの積に等しい距離だけ副走査方向の反対方向に受光部３０内において移動している。よって、図７（ｃ）に示すステップでは、図７（ｂ）に示すステップと同様に、白領域１０４の上限から幅Ｌの領域の青成分が撮像される。以上のような図７（ａ）〜図７（ｃ）のステップにより、白領域１０４の上限から幅Ｌの領域の赤成分、緑成分及び青成分が得られる。
【００３５】
図７（ｃ）に示すステップより時間Ｔが経過した図８（ａ）に示すステップでは、受光素子Ｐｄ（１，ｎ）〜Ｐｄ（５，ｎ）は、副走査方向に速度Ｖと時間Ｔとの積に等しい距離だけ移動する。そして、光源２０は、光ＢＲを原稿Ｐに対して照射する。そして、白領域１０４及び黒領域１０２にて反射した光ＢＲは、受光素子Ｐｄ（１，ｎ）〜Ｐｄ（５，ｎ）に入射する。この際、撮像に用いる受光素子として、副走査方向に隣り合う３つの列に属する受光素子Ｐｄ（１，ｎ）〜Ｐｄ（３，ｎ）が選択されている。よって、図８（ａ）に示すステップでは、黒領域１０２の赤成分が撮像される。
【００３６】
図８（ａ）に示すステップより時間Ｔが経過した図８（ｂ）に示すステップでは、受光素子Ｐｄ（１，ｎ）〜Ｐｄ（５，ｎ）は、副走査方向に速度Ｖと時間Ｔとの積に等しい距離だけ移動する。そして、光源２０は、光ＢＧを原稿Ｐに対して照射する。そして、白領域１００，１０４及び黒領域１０２にて反射した光ＢＧは、受光素子Ｐｄ（１，ｎ）〜Ｐｄ（５，ｎ）に入射する。この際、撮像に用いる受光素子として、副走査方向に隣り合う３つの列に属する受光素子Ｐｄ（２，ｎ）〜Ｐｄ（４，ｎ）が選択されている。これにより、撮像に用いられる受光素子の重心Ｇは、選択の前後において、速度Ｖと時間Ｔとの積に等しい距離だけ副走査方向の反対方向に受光部３０内において移動している。よって、図８（ｂ）に示すステップでは、図８（ａ）に示すステップと同様に、黒領域１０２の緑成分が撮像される。
【００３７】
図８（ｂ）に示すステップより時間Ｔが経過した図８（ｃ）に示すステップでは、受光素子Ｐｄ（１，ｎ）〜Ｐｄ（５，ｎ）は、副走査方向に速度Ｖと時間Ｔとの積に等しい距離だけ移動する。そして、光源２０は、光ＢＢを原稿Ｐに対して照射する。そして、白領域１００及び黒領域１０２にて反射した光ＢＢは、受光素子Ｐｄ（１，ｎ）〜Ｐｄ（５，ｎ）に入射する。この際、撮像に用いる受光素子として、副走査方向に隣り合う３つの列に属する受光素子Ｐｄ（３，ｎ）〜Ｐｄ（５，ｎ）が選択されている。これにより、撮像に用いられる受光素子の重心Ｇは、選択の前後において、速度Ｖと時間Ｔとの積に等しい距離だけ副走査方向の反対方向に受光部３０内において移動している。よって、図８（ｃ）に示すステップでは、図８（ｂ）に示すステップと同様に、黒領域１０２の青成分が撮像される。以上のような図８（ａ）〜図８（ｃ）のステップにより、黒領域１０２の赤成分、緑成分及び青成分が得られる。
【００３８】
図８（ｃ）に示すステップより時間Ｔが経過した図９（ａ）に示すステップでは、受光素子Ｐｄ（１，ｎ）〜Ｐｄ（５，ｎ）は、副走査方向に速度Ｖと時間Ｔとの積に等しい距離だけ移動する。そして、光源２０は、光ＢＲを原稿Ｐに対して照射する。そして、白領域１００及び黒領域１０２にて反射した光ＢＲは、受光素子Ｐｄ（１，ｎ）〜Ｐｄ（５，ｎ）に入射する。この際、撮像に用いる受光素子として、副走査方向に隣り合う３つの列に属する受光素子Ｐｄ（１，ｎ）〜Ｐｄ（３，ｎ）が選択されている。よって、図８（ａ）に示すステップでは、白領域１００の下限から幅Ｌの領域の赤成分が撮像される。
【００３９】
図９（ａ）に示すステップより時間Ｔが経過した図９（ｂ）に示すステップでは、受光素子Ｐｄ（１，ｎ）〜Ｐｄ（５，ｎ）は、副走査方向に速度Ｖと時間Ｔとの積に等しい距離だけ移動する。そして、光源２０は、光ＢＧを原稿Ｐに対して照射する。そして、白領域１００及び黒領域１０２にて反射した光ＢＧは、受光素子Ｐｄ（１，ｎ）〜Ｐｄ（５，ｎ）に入射する。この際、撮像に用いる受光素子として、副走査方向に隣り合う３つの列に属する受光素子Ｐｄ（２，ｎ）〜Ｐｄ（４，ｎ）が選択されている。これにより、撮像に用いられる受光素子の重心Ｇは、選択の前後において、速度Ｖと時間Ｔとの積に等しい距離だけ副走査方向の反対方向に受光部３０内において移動している。よって、図９（ｂ）に示すステップでは、図９（ａ）に示すステップと同様に、白領域１００の下限から幅Ｌの領域の緑成分が撮像される。
【００４０】
図９（ｂ）に示すステップより時間Ｔが経過した図９（ｃ）に示すステップでは、受光素子Ｐｄ（１，ｎ）〜Ｐｄ（５，ｎ）は、副走査方向に速度Ｖと時間Ｔとの積に等しい距離だけ移動する。そして、光源２０は、光ＢＢを原稿Ｐに対して照射する。そして、白領域１００にて反射した光ＢＢは、受光素子Ｐｄ（１，ｎ）〜Ｐｄ（５，ｎ）に入射する。この際、撮像に用いる受光素子として、副走査方向に隣り合う３つの列に属する受光素子Ｐｄ（３，ｎ）〜Ｐｄ（５，ｎ）が選択されている。これにより、撮像に用いられる受光素子の重心Ｇは、選択の前後において、速度Ｖと時間Ｔとの積に等しい距離だけ副走査方向の反対方向に受光部３０内において移動している。よって、図９（ｃ）に示すステップでは、図９（ｂ）に示すステップと同様に、白領域１００の下限から幅Ｌの領域の青成分が撮像される。以上のような図９（ａ）〜図９（ｃ）のステップにより、黒領域１０２の赤成分、緑成分及び青成分が得られる。
【００４１】
以上のように、原稿読み取り装置１０では、光ＢＲ，ＢＧ，ＢＢが切り替えられる１周期の間において、撮像に用いられる受光素子の重心Ｇが副走査方向に移動しないように、受光素子の列が選択されている。これにより、原稿読み取り装置１０は、色にじみの発生を抑制している。以下に、図７の動作が行われる際に、図５の選択回路５０ｎが行う動作を、図面を参照しながら説明する。図１０は、選択回路５０ｎのタイミングチャートである。
【００４２】
時刻ｔ１において、制御部４２は、駆動信号ＬＥＤＲの電圧をＨｉｇｈにする。これにより、光源２０は、光ＢＲを原稿Ｐに対して照射する。そして、受光素子Ｐｄ（１，ｎ）〜Ｐｄ（５，ｎ）は、原稿Ｐにて反射した光ＢＲを受光する。これにより、受光素子Ｐｄ（１，ｎ）〜Ｐｄ（５，ｎ）には電荷が蓄積される。
【００４３】
時刻ｔ２において、制御部４２は、リセット信号Ｒｘｎの電圧をＨｉｇｈにする。応じて、トランジスタＲｔｒｎが開き、ソース線ＴＳＬ（１，ｎ）〜ＴＳＬ（５，ｎ）に蓄積されている電荷が接地側へと破棄される。時刻ｔ２では、受光素子Ｐｄ（１，ｎ）〜Ｐｄ（５，ｎ）が蓄積している電荷を読み出す前に、ソース線ＴＳＬ（１，ｎ）〜ＴＳＬ（５，ｎ）の電荷をリセットしている。
【００４４】
時刻ｔ３において、制御部４２は、選択信号ＲＴｘ（４，ｎ），ＲＴｘ（５，ｎ）の電圧をＨｉｇｈにする。応じて、トランジスタＲｔｒ（４，ｎ），Ｒｔｒ（５，ｎ）が開く。その結果、受光素子Ｐｄ（４，ｎ），Ｐｄ（５，ｎ）に蓄積された電荷はそれぞれ、ソース線ＲＳＬ（４，ｎ），ＲＳＬ（５，ｎ）を介して破棄される。
【００４５】
時刻ｔ４において、制御部４２は、出力信号Ｓｘｎの電圧をＨｉｇｈにする。応じて、トランジスタＯｔｒｎが開く。これにより、トランジスタＤｔｒｎのソースとトランジスタＯｔｒｎのドレインとの間に蓄積されている電荷が出力信号Ｓｉｇｎとして、出力線ＯＬｎから出力される。
【００４６】
時刻ｔ５において、制御部４２は、読み出し信号Ｔｘｎの電圧をＨｉｇｈにする。応じて、トランジスタＴｔｒ（１，ｎ）〜Ｔｔｒ（５，ｎ）が開く。これにより、受光素子Ｐｄ（１，ｎ）〜Ｐｄ（５，ｎ）に蓄積されている電荷がソース線ＴＳＬ（１，ｎ）〜ＴＳＬ（５，ｎ）を介してトランジスタＤｔｒｎのゲートへと移動する。ただし、受光素子Ｐｄ（４，ｎ），Ｐｄ（５，ｎ）に蓄積されている電荷は、時刻ｔ３においてリセットされている。したがって、トランジスタＤｔｒｎのゲートへと移動する電荷は、受光素子Ｐｄ（１，ｎ）〜Ｐｄ（３，ｎ）が蓄積している電荷である。これにより、トランジスタＤｔｒｎのゲートの電位が、受光素子Ｐｄ（１，ｎ）〜Ｐｄ（３，ｎ）が蓄積している電荷により上昇し、トランジスタＤｔｒｎが開く。トランジスタＤｔｒｎには、受光素子Ｐｄ（１，ｎ）〜Ｐｄ（３，ｎ）が蓄積している電荷に応じたドレイン電流が流れ、トランジスタＤｔｒｎのソースとトランジスタＯｔｒｎのドレインとの間に電荷が蓄積される。
【００４７】
時刻ｔ６において、制御部４２は、出力信号Ｓｘｎの電圧をＨｉｇｈにする。応じて、トランジスタＯｔｒｎが開く。これにより、トランジスタＤｔｒｎのソースとトランジスタＯｔｒｎのドレインとの間に蓄積されている電荷が出力信号Ｓｉｇｎとして、出力線ＯＬｎから出力される。なお、制御部４２は、時刻ｔ４にて出力された出力信号Ｓｉｇｎの電圧と時刻ｔ６にて出力された出力信号Ｓｉｇｎの電圧とを比較することにより、受光素子Ｐｄ（１，ｎ）〜Ｐｄ（３，ｎ）が蓄積していた電荷量を判定する。以上の動作により、図７（ａ）に示すステップが完了し、カラー画像の赤成分が得られる。
【００４８】
時刻ｔ７において、制御部４２は、駆動信号ＬＥＤＧの電圧をＨｉｇｈにする。これにより、光源２０は、光ＢＧを原稿Ｐに対して照射する。そして、受光素子Ｐｄ（１，ｎ）〜Ｐｄ（５，ｎ）は、原稿Ｐにて反射した光ＢＧを受光する。これにより、受光素子Ｐｄ（１，ｎ）〜Ｐｄ（５，ｎ）には電荷が蓄積される。
【００４９】
時刻ｔ８において、制御部４２は、リセット信号Ｒｘｎの電圧をＨｉｇｈにする。応じて、トランジスタＲｔｒｎが開き、ソース線ＴＳＬ（１，ｎ）〜ＴＳＬ（５，ｎ）に蓄積されている電荷が接地側へと破棄される。時刻ｔ８では、受光素子Ｐｄ（１，ｎ）〜Ｐｄ（５，ｎ）が蓄積している電荷を読み出す前に、ソース線ＴＳＬ（１，ｎ）〜ＴＳＬ（５，ｎ）の電荷をリセットしている。
【００５０】
時刻ｔ９において、制御部４２は、選択信号ＲＴｘ（１，ｎ），ＲＴｘ（５，ｎ）の電圧をＨｉｇｈにする。応じて、トランジスタＲｔｒ（１，ｎ），Ｒｔｒ（５，ｎ）が開く。その結果、受光素子Ｐｄ（１，ｎ），Ｐｄ（５，ｎ）に蓄積された電荷はそれぞれ、ソース線ＲＳＬ（１，ｎ），ＲＳＬ（５，ｎ）を介して破棄される。
【００５１】
時刻ｔ１０において、制御部４２は、出力信号Ｓｘｎの電圧をＨｉｇｈにする。応じて、トランジスタＯｔｒｎが開く。これにより、トランジスタＤｔｒｎのソースとトランジスタＯｔｒｎのドレインとの間に蓄積されている電荷が出力信号Ｓｉｇｎとして、出力線ＯＬｎから出力される。
【００５２】
時刻ｔ１１において、制御部４２は、読み出し信号Ｔｘｎの電圧をＨｉｇｈにする。応じて、トランジスタＴｔｒ（１，ｎ）〜Ｔｔｒ（５，ｎ）が開く。これにより、受光素子Ｐｄ（１，ｎ）〜Ｐｄ（５，ｎ）に蓄積されている電荷がソース線ＴＳＬ（１，ｎ）〜ＴＳＬ（５，ｎ）を介してトランジスタＤｔｒｎのゲートへと移動する。ただし、受光素子Ｐｄ（１，ｎ），Ｐｄ（５，ｎ）に蓄積されている電荷は、時刻ｔ９においてリセットされている。したがって、トランジスタＤｔｒｎのゲートへと移動する電荷は、受光素子Ｐｄ（２，ｎ）〜Ｐｄ（４，ｎ）が蓄積している電荷である。これにより、トランジスタＤｔｒｎのゲートの電位が、受光素子Ｐｄ（２，ｎ）〜Ｐｄ（４，ｎ）が蓄積している電荷により上昇し、トランジスタＤｔｒｎが開く。トランジスタＤｔｒｎには、受光素子Ｐｄ（２，ｎ）〜Ｐｄ（４，ｎ）が蓄積している電荷に応じたドレイン電流が流れ、トランジスタＤｔｒｎのソースとトランジスタＯｔｒｎのドレインとの間に電荷が蓄積される。
【００５３】
時刻ｔ１２において、制御部４２は、出力信号Ｓｘｎの電圧をＨｉｇｈにする。応じて、トランジスタＯｔｒｎが開く。これにより、トランジスタＤｔｒｎのソースとトランジスタＯｔｒｎのドレインとの間に蓄積されている電荷が出力信号Ｓｉｇｎとして、出力線ＯＬｎから出力される。なお、制御部４２は、時刻ｔ１０にて出力された出力信号Ｓｉｇｎの電圧と時刻ｔ１２にて出力された出力信号Ｓｉｇｎの電圧とを比較することにより、受光素子Ｐｄ（２，ｎ）〜Ｐｄ（４，ｎ）が蓄積していた電荷量を判定する。以上の動作により、図７（ｂ）に示すステップが完了し、カラー画像の緑成分が得られる。
【００５４】
時刻ｔ１３において、制御部４２は、駆動信号ＬＥＤＢの電圧をＨｉｇｈにする。これにより、光源２０は、光ＢＢを原稿Ｐに対して照射する。そして、受光素子Ｐｄ（１，ｎ）〜Ｐｄ（５，ｎ）は、原稿Ｐにて反射した光ＢＢを受光する。これにより、受光素子Ｐｄ（１，ｎ）〜Ｐｄ（５，ｎ）には電荷が蓄積される。
【００５５】
時刻ｔ１４において、制御部４２は、リセット信号Ｒｘｎの電圧をＨｉｇｈにする。応じて、トランジスタＲｔｒｎが開き、ソース線ＴＳＬ（１，ｎ）〜ＴＳＬ（５，ｎ）に蓄積されている電荷が接地側へと破棄される。時刻ｔ１４では、受光素子Ｐｄ（１，ｎ）〜Ｐｄ（５，ｎ）が蓄積している電荷を読み出す前に、ソース線ＴＳＬ（１，ｎ）〜ＴＳＬ（５，ｎ）の電荷をリセットしている。
【００５６】
時刻ｔ１５において、制御部４２は、選択信号ＲＴｘ（１，ｎ），ＲＴｘ（２，ｎ）の電圧をＨｉｇｈにする。応じて、トランジスタＲｔｒ（１，ｎ），Ｒｔｒ（２，ｎ）が開く。その結果、受光素子Ｐｄ（１，ｎ），Ｐｄ（２，ｎ）に蓄積された電荷はそれぞれ、ソース線ＲＳＬ（１，ｎ），ＲＳＬ（２，ｎ）を介して破棄される。
【００５７】
時刻ｔ１６において、制御部４２は、出力信号Ｓｘｎの電圧をＨｉｇｈにする。応じて、トランジスタＯｔｒｎが開く。これにより、トランジスタＤｔｒｎのソースとトランジスタＯｔｒｎのドレインとの間に蓄積されている電荷が出力信号Ｓｉｇｎとして、出力線ＯＬｎから出力される。
【００５８】
時刻ｔ１７において、制御部４２は、読み出し信号Ｔｘｎの電圧をＨｉｇｈにする。応じて、トランジスタＴｔｒ（１，ｎ）〜Ｔｔｒ（５，ｎ）が開く。これにより、受光素子Ｐｄ（１，ｎ）〜Ｐｄ（５，ｎ）に蓄積されている電荷がソース線ＴＳＬ（１，ｎ）〜ＴＳＬ（５，ｎ）を介してトランジスタＤｔｒｎのゲートへと移動する。ただし、受光素子Ｐｄ（１，ｎ），Ｐｄ（２，ｎ）に蓄積されている電荷は、時刻ｔ１４においてリセットされている。したがって、トランジスタＤｔｒｎのゲートへと移動する電荷は、受光素子Ｐｄ（３，ｎ）〜Ｐｄ（５，ｎ）が蓄積している電荷である。これにより、トランジスタＤｔｒｎのゲートの電位が、受光素子Ｐｄ（３，ｎ）〜Ｐｄ（５，ｎ）が蓄積している電荷により上昇し、トランジスタＤｔｒｎが開く。トランジスタＤｔｒｎには、受光素子Ｐｄ（３，ｎ）〜Ｐｄ（５，ｎ）が蓄積している電荷に応じたドレイン電流が流れ、トランジスタＤｔｒｎのソースとトランジスタＯｔｒｎのドレインとの間に電荷が蓄積される。
【００５９】
時刻ｔ１８において、制御部４２は、出力信号Ｓｘｎの電圧をＨｉｇｈにする。応じて、トランジスタＯｔｒｎが開く。これにより、トランジスタＤｔｒｎのソースとトランジスタＯｔｒｎのドレインとの間に蓄積されている電荷が出力信号Ｓｉｇｎとして、出力線ＯＬｎから出力される。なお、制御部４２は、時刻ｔ１６にて出力された出力信号Ｓｉｇｎの電圧と時刻ｔ１８にて出力された出力信号Ｓｉｇｎの電圧とを比較することにより、受光素子Ｐｄ（３，ｎ）〜Ｐｄ（５，ｎ）が蓄積していた電荷量を判定する。以上の動作により、図７（ｃ）に示すステップが完了し、カラー画像の青成分が得られる。
【００６０】
原稿読み取り装置１０では、キャリッジ１６が原稿Ｐをスキャンしている間、時刻ｔ１〜ｔ１８の動作が繰り返される。これにより、原稿読み取り装置１０は、カラー画像のデータを得ることができる。
【００６１】
（効果）
原稿読み取り装置１０によれば、以下に説明するように、受光素子Ｐｄ（ｍ，ｎ）を移動させながら光ＢＲ，ＢＧ，ＢＢを照射してカラー画像の読み取りを行う原稿読み取り装置において、色にじみが発生することを抑制できる。従来の画像読み取り装置では、色にじみが発生するおそれがある。より詳細には、イメージセンサは一定速度で移動している。そのため、カラー画像の赤成分が読み取られる位置と、カラー画像の緑成分が読み取られる位置と、カラー画像の青成分が読み取られる位置とは、互いに副走査方向にずれてしまう。その結果、従来の画像読み取り装置では、色にじみが発生するおそれがある。
【００６２】
一方、原稿読み取り装置１０では、光ＢＲ，ＢＧ，ＢＢを時間Ｔ毎に切り替えて光源２０に照射させると共に、光ＢＲ，ＢＧ，ＢＢの切り替えに同期して、撮像に用いられる受光素子Ｐｄ（ｍ，ｎ）を列単位で選択している。そして、撮像に用いられる受光素子の重心Ｇは、選択の前後に、キャリッジ１６の速度Ｖと時間Ｔとの積に等しい距離だけ副走査方向の反対方向に受光部３０内において移動している。これにより、光ＢＲ，ＢＧ，ＢＢが照射される１周期の間では、受光素子の重心Ｇが副走査方向に移動しなくなるので、カラー画像の赤成分が撮像される領域とカラー画像の緑成分が撮像される領域とカラー画像の青成分が撮像される領域とが一致するようになる。その結果、原稿読み取り装置１０では、色にじみが発生することが抑制される。
【００６３】
また、原稿読み取り装置１０では、撮像に用いられる受光素子Ｐｄ（ｍ，ｎ）は、副走査方向に隣り合う複数の列を構成している。これにより、受光素子Ｐｄ（ｍ，ｎ）により撮像される領域が連続して繋がった状態となる。その結果、原稿読み取り装置１０では、色にじみが発生することがより効果的に抑制される。
【００６４】
（その他の実施形態）
原稿読み取り装置１０は、前記実施形態に示したものに限らず、その要旨の範囲内において変更可能である。例えば、原稿読み取り装置１０では、３列分の受光素子Ｐｄ（ｍ，ｎ）が選択されているが、例えば、２列以下の受光素子Ｐｄ（ｍ，ｎ）が選択されてもよいし、４列以上の受光素子Ｐｄ（ｍ，ｎ）が選択されてもよい。ただし、各色の光ＢＲ，ＢＧ，ＢＢの照射時において撮像に用いられる受光素子Ｐｄ（ｍ，ｎ）の数は、等しいことが望ましい。
【００６５】
なお、原稿読み取り装置１０では、原稿Ｐが固定され、キャリッジ１６が速度Ｖで移動している。しかしながら、キャリッジ１６が固定され、原稿Ｐが速度Ｖで移動させられてもよい。すなわち、キャリッジ１６と原稿Ｐとが相対速度Ｖで移動していればよい。
【産業上の利用可能性】
【００６６】
本発明は、原稿読み取り装置に有用であり、特に、色にじみが発生することを抑制できる点において優れている。
【符号の説明】
【００６７】
ＢＲ，ＢＧ，ＢＢ  光
Ｇ 重心
Ｐｄ（ｍ，ｎ）  受光素子
１０  原稿読み取り装置
１２，１８  本体
１４  プラテンガラス
１６  キャリッジ
２０  光源
２４  等倍レンズ
２６  センサチップ
２８  センサ基板
３０  受光部
３２  回路部
３４  接続部
４０  駆動部
４２  制御部
４４  ＡＤコンバータ
４６  メモリ
５０ｎ  選択回路
６０  センサ制御部
６２  並べ替え処理部
６４  画像処理部
【図１】
2011130053.tif 000003
【図２】
2011130053.tif 000004
【図３】
2011130053.tif 000005
【図４】
2011130053.tif 000006
【図５】
2011130053.tif 000007
【図６】
2011130053.tif 000008
【図７】
2011130053.tif 000009
【図８】
2011130053.tif 000010
【図９】
2011130053.tif 000011
【図１０】
2011130053.tif 000012